(57)【要約】【課題】  表示装置に搭載された燃料電池カートリッジを、燃料液の外部への漏れ、人体への付着、更には、爆発などの危険性を防止して安全に取り外すことを目的とする。【解決手段】  表示装置に搭載された燃料電池カートリッジの取り外す際に、表示装置の操作部から燃料電池カートリッジの取り外しのための制御信号を送信し、燃料電池カートリッジの燃料液の残容量を検出し、残容量が検出された場合には、表示装置の表示画面に警告を表示すると共に燃料電池カートリッジの取り外し機構をロックして、ユーザが勝手に取り出せないようにする。【選択図】        図１
2007073319.tif 000002
【特許請求の範囲】
【請求項１】
表示装置に搭載された燃料電池カートリッジの取り外し方法において、
上記表示装置の操作部からの上記燃料電池カートリッジの取り外しのための制御信号を受信するステップと、
上記燃料電池カートリッジ内の燃料液の残容量を検出するステップと、
上記制御信号を受信したときに、上記残容量が検出された場合には、上記表示装置において警告を行うと共に上記燃料電池カートリッジの取り外し機構をロックするステップと、を備えていることを特徴とする表示装置に搭載された燃料電池カートリッジの取り外し方法。
【請求項２】
表示装置に搭載された燃料電池カートリッジの取り外し方法において、
上記表示装置の操作部からの上記燃料電池カートリッジの取り外しのための制御信号を受信するステップと、
上記燃料電池カートリッジ内の燃料液の残容量を検出するステップと、
上記制御信号を受信したときに、上記残容量が検出されない場合には、上記表示装置において警告を行うことなく、上記燃料電池カートリッジの取り外し機構のロックを解除するステップと、を備えていることを特徴とする表示装置に搭載された燃料電池カートリッジの取り外し方法。
【請求項３】
表示装置に搭載された燃料電池カートリッジの取り外し方法において、
上記燃料電池カートリッジの取り外し機構への直接操作を検出するステップと、
上記燃料電池カートリッジ内の燃料液の残容量を検出するステップと、
上記取り外し機構への直接操作を検出したときに、上記残容量が検出された場合には、上記表示装置において警告を行うと共に上記燃料電池カートリッジの取り外し機構をロックするステップと、を備えていることを特徴とする表示装置に搭載された燃料電池カートリッジの取り外し方法。
【請求項４】
表示装置に搭載された燃料電池カートリッジの取り外し方法において、
上記燃料電池カートリッジの取り外し機構への直接操作を検出するステップと、
上記燃料電池カートリッジ内の燃料液の残容量を検出するステップと、
上記取り外し機構への直接操作を検出したときに、上記残容量が検出されない場合には、上記表示装置において警告を行うことなく、上記燃料電池カートリッジの取り外し機構のロックを解除するステップと、を備えていることを特徴とする表示装置に搭載された燃料電池カートリッジの取り外し方法。
【請求項５】
請求項１乃至請求項４のいずれかに記載の表示装置に搭載された燃料電池カートリッジの取り外し方法において、
上記警告が表示され、上記取り外し機構がロックされた状態で、上記操作部からのロック解除信号を受信するステップと、
上記ロック解除を可能とした状態で、上記操作部からの自動または手動の選択信号を受信した場合には、自動または手動の手順にしたがって、上記燃料電池カートリッジの取り外しを可能とするステップと、を備えていることを特徴とする表示装置に搭載された燃料電池カートリッジの取り外し方法。
【請求項６】
請求項５に記載の表示装置に搭載された燃料電池カートリッジの取り外し方法において、
上記自動が選択された場合には、上記燃料電池カートリッジ内に残存する燃料液を安全に自動的に排出するステップと、残容量がゼロであることを確認するステップと、残容量がゼロである上記燃料電池カートリッジを自動的に取り外すステップと、を備えていることを特徴とする表示装置に搭載された燃料電池カートリッジの取り外し方法。
【請求項７】
請求項５に記載の表示装置に搭載された燃料電池カートリッジの取り外し方法において、
上記手動が選択された場合には、上記燃料電池カートリッジ内に燃料液が残存する旨を上記表示画面に表示するステップと、手動による上記燃料電池カートリッジの取り外しの手順を上記表示画面に表示するステップと、を備えていることを特徴とする表示装置に搭載された燃料電池カートリッジの取り外し方法。
【請求項８】
表示装置に搭載された燃料電池カートリッジの取り外し方法において、
燃料電池カートリッジの取り出しを可能とした状態で、上記操作部からの自動または手動の選択信号を受信した場合には、自動または手動の手順にしたがって、上記燃料電池カートリッジの取り外しを可能とするステップと、を備えていることを特徴とする表示装置に搭載された燃料電池カートリッジの取り外し方法。
【請求項９】
請求項８に記載の表示装置に搭載された燃料電池カートリッジの取り外し方法において、
上記自動が選択された場合には、上記燃料電池カートリッジ内に残存する燃料液を安全に自動的に排出するステップと、残容量がゼロであることを確認するステップと、残容量がゼロである上記燃料電池カートリッジを自動的に取り外すステップと、を備えていることを特徴とする表示装置に搭載された燃料電池カートリッジの取り外し方法。
【請求項１０】
請求項８に記載の表示装置に搭載された燃料電池カートリッジの取り外し方法において、
上記手動が選択された場合には、上記燃料電池カートリッジ内に燃料液が残存する旨を上記表示画面に表示するステップと、手動による上記燃料電池カートリッジの取り外しの手順を上記表示画面に表示するステップと、を備えていることを特徴とする表示装置に搭載された燃料電池カートリッジの取り外し方法。
【請求項１１】
表示装置に搭載された燃料電池カートリッジの取り外し方法において、
上記表示装置の操作部からの燃料電池カートリッジ交換ボタンの操作に対応した制御信号を受信するステップと、
上記燃料電池カートリッジ内の燃料液の残容量を検出するステップと、
上記制御信号を受信したときに、上記残容量が検出された場合に、表示装置が待機時、又は、完全停止時において、燃料電池を含む電源を作動させて、表示装置において警告を行うステップと、を備えていることを特徴とする表示装置に搭載された燃料電池カートリッジの取り外し方法。
【請求項１２】
表示装置に搭載された燃料電池カートリッジの取り外し方法において、
上記表示装置の操作部からの上記燃料電池カートリッジの取り外しのための制御信号を受信するステップと、
上記燃料電池カートリッジ内の燃料液の残容量を検出するステップと、
上記制御信号を受信したときに、上記残容量が検出された場合に、表示装置の表示画面に通常のコンテンツ表示がなされ、音声が出力されているときは、表示画面への警告表示や警告音の発生以外の警告を行うことを特徴とする表示装置に搭載された燃料電池カートリッジの取り外し方法。
【請求項１３】
表示装置の操作部からの上記燃料電池カートリッジの取り外しのための制御信号を受信する受信部と、
上記燃料電池カートリッジ内の燃料液の残容量を検出する検出部と、
上記制御信号を受信したときに、上記残容量が検出された場合には、上記表示装置の表示画面に警告を表示する表示部と、
上記制御信号を受信したときに、上記残容量が検出された場合には、上記燃料電池カートリッジの取り外し機構をロックする制御部と、を備えていることを特徴とする燃料電池カートリッジを搭載した表示装置。
【請求項１４】
表示装置の操作部からの上記燃料電池カートリッジの取り外しのための制御信号を受信する受信部と、
上記燃料電池カートリッジ内の燃料液の残容量を検出する検出部と、
上記制御信号を受信したときに、上記残容量が検出された場合には、上記表示装置の表示画面に警告を表示する表示部と、
上記制御信号を受信したときに、上記残容量が検出されない場合には、上記燃料電池カートリッジの取り外し機構のロックを解除する制御部と、を備えていることを特徴とする燃料電池カートリッジを搭載した表示装置。
【請求項１５】
表示装置の燃料電池カートリッジの取り外し機構の操作を検出する検出部と、
上記燃料電池カートリッジ内の燃料液の残容量を検出する検出部と、
上記取り外し機構の操作を検出したときに、上記残容量が検出された場合には、上記表示装置の表示画面に警告を表示する表示部と、
上記取り外し機構の操作を検出したときに、上記残容量が検出された場合には、上記燃料電池カートリッジの取り外し機構のロックを解除する制御部と、を備えていることを特徴とする燃料電池カートリッジを搭載した表示装置。
【請求項１６】
表示装置の燃料電池カートリッジの取り外し機構の操作を検出する検出部と、
上記燃料電池カートリッジ内の燃料液の残容量を検出する検出部と、
上記取り外し機構の操作を検出したときに、上記残容量が検出された場合には、上記表示装置の表示画面に警告を表示する表示部と、
上記取り外し機構の操作を検出したときに、上記残容量が検出されない場合には、上記燃料電池カートリッジの取り外し機構のロックを解除する制御部と、を備えていることを特徴とする燃料電池カートリッジを搭載した表示装置。
【請求項１７】
請求項１３乃至請求項１６のいずれかに記載の燃料電池カートリッジを搭載した表示装置において、
上記警告が表示され、上記取り外し機構がロックされた状態で、上記リモコン操作によるロック解除信号を受信する受信部と、
ロック解除信号を受信した場合に上記ロック解除を可能とし、上記リモコン操作による自動または手動の選択信号を受信した場合には、自動または手動の手順にしたがって、上記燃料電池カートリッジの取り外しを可能とする制御部と、を備えていることを特徴とする燃料電池カートリッジを搭載した表示装置。
【請求項１８】
請求項１７に記載の燃料電池カートリッジを搭載した表示装置において、
上記自動が選択された場合には、上記燃料電池カートリッジ内に残存する燃料液を安全に自動的に排出し、残容量がゼロであることを確認し、残容量がゼロである上記燃料電池カートリッジを自動的に取り外す制御部を備えていることを特徴とする燃料電池カートリッジを搭載した表示装置。
【請求項１９】
請求項１７に記載の燃料電池カートリッジを搭載した表示装置において、
上記手動が選択された場合には、上記燃料電池カートリッジ内に燃料液が残存する旨を上記表示画面に表示し、手動による上記燃料電池カートリッジの取り外しの手順を上記表示画面に表示する制御部を備えていることを特徴とする燃料電池カートリッジを搭載した表示装置。
【請求項２０】
燃料電池カートリッジを搭載した表示装置に対して、
上記燃料電池カートリッジの取り外しのための制御信号を送信する送信部と、
上記表示装置の表示画面に警告が表示され、上記燃料電池カートリッジの取り外し機構がロックされた状態で、ロック解除信号を送信する送信部と、
上記取り外し機構のロックが解除された状態で、自動または手動の選択信号を送信する送信部を備えたことを特徴とする燃料電池カートリッジの取り外しのためのリモコン操作装置。
【請求項２１】
請求項２０に記載されたリモコン操作装置において、
上記燃料電池カートリッジの取り外しのための制御信号を送信する送信部と、
上記表示装置の表示画面に警告が表示され、上記燃料電池カートリッジの取り外し機構がロックされた状態で、ロック解除信号を送信する送信部と、
上記取り外し機構のロックが解除された状態で、自動または手動の選択信号を送信する送信部とが、表示装置の映像表示制御を行うリモコン操作装置に組み込まれたことを特徴とするリモコン操作装置。
【発明の詳細な説明】
【技術分野】
【０００１】
本発明は、例えば、液晶ディスプレイ装置などの表示装置に搭載されたダイレクトメタノール型燃料電池の燃料を収納する燃料電池カートリッジの安全な取り外し方法、燃料電池カートリッジの取り外し装置、及び、燃料電池カートリッジの取り外しのための操作部に関する。
【背景技術】
【０００２】
携帯型電子機器、例えば、ノート型パソコンの電源として、燃料電池の利用が進められている。燃料電池は、環境に優しい電源、即ち、二酸化炭素を排出しない理想的な電源として、これまでリン酸型燃料電池（ＰＡＦＣ）、溶融炭酸型燃料電池（ＭＣＦＣ）、固体酸化物型燃料電池（ＳＯＦＣ）、固体高分子型燃料電池（ＰＥＦＣ）など、燃料の材料や発電の規模、発電温度などの異なる種々のタイプの燃料電池が開発されている。
【０００３】
ダイレクトメタノール型燃料電池（ＤＭＦＣ）は、液体のメタノール（メチルアルコール）を燃料とする小型で発電温度の低い燃料電池であり、燃料極でメタノールが水と反応して二酸化炭素、水素イオン、電子が発生し、水素イオンは電解質膜を通って空気極へ移動し、外部回路を流れた電子及び空気中の酸素と反応して水となることにより発電が行われる。ＤＭＦＣでは、燃料であるメタノール溶液を燃料電池カートリッジに格納して、電子機器に搭載し、燃料電池カートリッジを交換することにより燃料を補充することが可能であり、小型の携帯型電子機器への搭載に適している。
【０００４】
しかしながら、メタノールを小型のカートリッジに入れるためには濃度の高いメタノールを使う必要があり、メタノールは、液体であって、しかも、爆発や人体への影響もあり、その取り扱いには十分な注意が必要である。
燃料電池カートリッジの取り扱いの場合には、通常の携帯型電子機器に使われる乾電池や蓄電池とは異なり、利用者が勝手に取り外すことには危険性があり、機器に設置されている燃料電池カートリッジをユーザが勝手に簡単に取り外すことができる構造や、燃料交換時に燃料が人体に付いてしまうような構造では、各種の問題が発生する可能性がある。
【０００５】
特許文献１には、燃料電池内に燃料が残存する状態で燃料電池が装置本体から取り外されると、残存する燃料が外部へ漏れる恐れがあるため、燃料電池と装置本体との離脱を容易に報知することができる燃料電池装置が記載されている。
図８に、上記特許文献１に記載されたデジタルカメラの概観図を示す。
図８を参照すると、電池パックからデジタルカメラへの電力供給中に、検出スイッチにより電池パックのデジタルカメラからの取り外しが検知されると、スピーカから警告音を出力し、電池パックがデジタルカメラから意図せず取外された場合であっても、電池パックの取り外しを容易に報知することができることが記載されている。また、警告音に代えて発光ダイオードの点滅により警告を報知することも記載されている。
また、特許文献２には、燃料カートリッジの残量検出方法が開示されており、燃料容器の側面に沿って燃料容器の内部に所定の間隔で燃料に接触するように複数本の導体を配置し、前記導体の燃料に接触する部分の長さが変化するようにして、燃料の残量を検出する構成が記載されている。
【０００６】
【特許文献１】特開２００５−５６６８５号公報
【特許文献２】特開２００４−９３４０９号公報
【発明の開示】
【発明が解決しようとする課題】
【０００７】
しかしながら、上記の従来技術の燃料電池装置では、スピーカからの警告音の報知あるいは発光ダイオードによる光の点滅は、電池パックがデジタルカメラから取り外され、離脱したことを検出してなされており、取り外され、離脱された電池パック内に、燃料のメタノールが残存している場合には、電池パック内に残存する燃料液が外部へ漏れ、人体への付着、更には、爆発などの危険性が依然として解消されていないものである。
特に、デジタルカメラや携帯型パソコンなどの小型の携帯用電子機器と相違し、移動型の液晶表示装置のように、電源容量の比較的大きい燃料電池が必要な表示装置に燃料電池を搭載する場合には、
燃料電池カートリッジ内に残存する燃料液の量が比較的多い場合もあり、燃料電池のメタノール溶液の取り扱いには、更に十分な注意が必要であって、従来技術である単に警告を報知する方式では、上記の危険性を防ぐことは困難であった。
【０００８】
本発明は、液晶ディスプレイ装置などの表示装置に搭載されたダイレクトメタノール型燃料電池の燃料を収納する燃料電池カートリッジを、燃料電池カートリッジ内に残存するメタノール燃料液の外部への漏れ、人体への付着、更には、爆発などの危険性を防止して安全に取り外す方法、燃料電池カートリッジの取り外し装置、及び、そのための操作部を提供することを目的とする。
【課題を解決するための手段】
【０００９】
本発明は、表示装置に搭載された燃料電池カートリッジの取り外し方法において、
上記表示装置の操作部からの上記燃料電池カートリッジの取り外しのための制御信号を受信するステップと、
上記燃料電池カートリッジ内の燃料液の残容量を検出するステップと、
上記制御信号を受信したときに、上記残容量が検出された場合には、上記表示装置の表示画面に警告を表示すると共に上記燃料電池カートリッジの取り外し機構をロックするステップとを備えていることを特徴とする。
また、ユーザが勝手に取り外し機構を操作した場合にも、表示画面に警告を表示し、取り外し機構をロックする。警告を表示し、ロックした状態で、操作部を用いてロック解除の操作を行うと、自動または手動によりロックを解除し燃料電池カートリッジの取り外しが可能となることを特徴とする。
【発明の効果】
【００１０】
本発明によれば、表示装置に搭載された燃料電池を、燃料電池カートリッジ内に残存するメタノール燃料液の外部への漏れ、人体への付着、更には、爆発などの危険性を防いで、安全に燃料電池カートリッジを取り外すことができる。
【発明を実施するための最良の形態】
【００１１】
以下、図面を用いて、本発明の実施の形態について説明する。
【実施例１】
【００１２】
図１に、本発明の実施例１の燃料電池カートリッジを搭載した表示装置のブロック図を示す。
図１において、１は、例えば、液晶ディスプレイ装置などの表示装置、２は、ダイレクトメタノール型の燃料電池であり、表示装置１の表示画面の側面に設置される。３は、燃料電池２に供給される、例えば、メタノール等の燃料液を格納した燃料電池カートリッジであり、表示装置１の表示画面の側面に搭載される。４は、燃料電池カートリッジ３を表示装置１に取り付け、燃料電池カートリッジ３の表示装置１本体からの取り外しを防止する本体とのロック機構であり、５は、燃料電池カートリッジ３の取り外しを検出し、取り外しをロックする取り外し検出／ロック機構制御部である。
【００１３】
６は、燃料電池カートリッジ内に設置される燃料の残量有無検知センサー、７は、残量有無検知回路であり、燃料電池カートリッジ３内に燃料液が残存する場合に、残量有無検知センサー６からの出力が、残量有無検知回路７に入力され、残量有無が検知される。
８は、画面表示処理回路、９は、マイコン等の処理制御部、１０は、受信回路、１１は、文字挿入回路、１２は、警告文字発生回路／警告音発生回路である。
通常の状態では、受信回路１０で受信されたテレビジョン信号等の画像信号と、文字挿入回路１１により挿入された文字信号が、画面表示処理回路９により処理されて表示装置１の表示画面に、テレビジョンの動画像と文字情報とが表示される。また、表示画面の操作は、リモコン操作装置１３又は表示装置本体の操作部１４を用いて操作可能である。
なお、図１においては、例えば、液晶ディスプレイ装置などの表示装置について示されているが、表示装置としては、テレビジョン映像を表示する映像表示装置に限らず、他の表示装置も含まれるし、また、一画面以上の表示部を持つ表示装置であっても良い。
【００１４】
燃料電池カートリッジ３内に燃料液が残存する場合には、残量有無検知回路７から残量有の検知信号が出力されると、マイコン等の処理制御部８は、警告文字発生回路／警告音発生回路１２に制御信号を送信して、表示装置１の表示画面に「燃料が残っているので、取り外しはできません。」などの文字情報による警告の表示及び音での警告表示を行うことができる。
マイコン等の処理制御部８は、画面表示処理回路９を制御して、画面の背景色を赤色や黄色に変える警告表示、あるいは、画面の背景色を点滅するフラッシングによる警告表示、を付加することもできる。
本発明の実施例１では、リモコン操作装置１３又は表示装置本体の操作部１４を用いて、表示装置１に搭載された燃料電池カートリッジ３の取り外しの制御を行うことができる。
【００１５】
図２は、本発明の実施例１の表示装置１に搭載された燃料電池カートリッジ３の取り外し方法のフローチャートを示す。
本発明の実施例１では、燃料電池カートリッジ３の取り外しの制御は、表示装置１の表示画面を操作するリモコン操作装置１３又は表示装置本体の操作部１４を用いて行われる。
図２の燃料電池カートリッジの取り外し方法のフローチャートにおいて、ステップ２１において、表示装置１に搭載された燃料電池カートリッジの取り外しを開始する際には、ステップ２２において、表示装置１のリモコン操作装置１３又は表示装置本体の操作部１４のメニューボタンを操作して、表示装置１の表示画面にメニュー画面を表示する。
【００１６】
ステップ２３において、例えばリモコン操作装置１３のカーソルキー（⇒）で、「燃料電池カートリッジ交換」タブを選択する。ステップ２４において、下向きカーソルキー（↓）で、「カートリッジ」取り外しを選択し、決定ボタンを押すと、リモコン操作装置１３又は表示装置本体の操作部１４は、燃料電池カートリッジ３の取り外しのための制御信号を表示装置１に送信する。
ステップ２５において、表示装置１がリモコン操作装置１３又は表示装置本体の操作部１４からの制御信号を受信すると、燃料電池カートリッジ３内の残量有無検知センサー６で検知された信号が残量有無検知回路７で検知されて、燃料電池カートリッジ３内の燃料液の残存が検知され、マイコン等の処理制御部９に入力される。
【００１７】
なお、リモコン操作装置１３又は表示装置本体の操作部１４に、燃料電池カートリッジ交換用の専用ボタンを設けている場合には、メニューボタンとカーソルキーで、燃料電池カートリッジ交換の画面に入る操作に代えて、燃料電池カートリッジ交換用の専用ボタンを直接、押圧することにより、メニュー画面を介することなく、直接、燃料電池カートリッジ交換の画面に入ることができる。
【００１８】
ステップ２６において、マイコン等の処理制御部９は、燃料電池カートリッジ３内の燃料液の残量が「有」の場合には、取り外し検出／ロック機構制御部５に制御信号を送信して、燃料電池カートリッジ３の本体とのロック機構により、燃料電池カートリッジ３の表示装置１からの取り外しを防止する。
また、ステップ２７において、マイコン等の処理制御部９は、警告文字発生回路／警告音発生回路１２に制御信号を送信して、表示装置１の表示画面に「燃料が残っているので、取り外しはできません。」などの文字情報による警告の表示を行い、また、音での警告表示を行うことができる。
マイコン等の処理制御部８は、画面表示処理回路９を制御して、画面の背景色を赤色や黄色に変える警告表示、あるいは、画面の背景色を点滅するフラッシングによる警告表示、を付加することもできる。
また、表示画面に警告を表示する方法に代えて、警告文の表示以外に、警告音の発生や警告の発光により警告を行うことができる。
また、表示装置の表示画面に通常のコンテンツ表示がなされ、音声が出力されているときは、表示画面への警告表示や警告音の発生以外の警告を行うことができる。
【００１９】
なお、上記の実施例１では、ステップ２４において、カートリッジの取り外しを選択した後、ステップ２５において、燃料の残量を検出する手順について説明したが、燃料の残量有無検出センサーと残量有無検出回路７による燃料電池カートリッジ内の燃料の残量の検出は、予め、定期的に残量を検出しておいて、残量の有無のデータを記憶しておき、カートリッジの取り外しが選択された場合には、上記の記憶された残量の有無の情報に基づいて、取り外し検出／ロック機構制御部５や警告文字発生回路／警告音発生回路への制御回路１２への制御信号を送信しても良い。
即ち、カートリッジの取り外しを選択するステップ２４と、燃料の残量を検出するステップ２５とは、その手順を変更することが可能である。
【００２０】
また、上記の実施例１では、ステップ２７において、取り外し機構をロックした後、ステップ２８において、表示画面に警告を表示する手順について、説明したが、上記のステップ２７とステップ２８は、同時に実行することが可能であり、表示画面に警告を表示する処理に余り時間を要しないのであれば、表示画面に警告を表示し、次いで、早急に、取り外し機構をロックするように、手順を変更することが可能である。
また、上記の実施例１では、ステップ２７において、取り外し機構をロックする手順について説明したが、常時（デフォルト）は、取り外し機構がロック状態で、取り外し制御信号などが出ると、燃料残量をチェックして、残量がゼロであればロックが解除される手順に変更すること、あるいは、常時（デフォルト）は、取り外し機構がロック状態で、取り外しのための制御信号を受信して、直接操作を検出した時に、燃料残量をチェックして、残量がゼロであればロックが解除される手順とすることもできる。
【００２１】
図３は、ロックされ、警告表示された状態の燃料電池カートリッジ３のロックを解除し、自動又は手動で燃料電池カートリッジ３を取り出し可能とする燃料電池カートリッジの取り外し方法のフローチャートである。
図２のフローチャートにより、燃料電池カートリッジ３の取り出し機構がロック機構４によりロックされ、表示装置１の表示画面に「取り外しができません。」という旨の警告が表示された状態で、燃料電池カートリッジ３の取り出しを行うには、操作部１３によりロック解除の操作を行う。
【００２２】
図３において、ステップ３１において、カートリッジの取り外しを選択し、ステップ３２において、ロック解除メニューを選択すると、ステップ３３において、自動／手動の選択画面で、自動または手動での取り外しを選択する。
自動を選択した場合には、ステップ３４において、残液を排出するかどうかの選択を行う。ステップ３５において、ＹＥＳを選択した場合には、ステップ３６において、自動的に燃料電池カートリッジ内に残存している燃料液が、他のカートリッジまたは貯留槽に排出され、ステップ３７において、残量を検出し、残量が無いことが確認されれば、ステップ３８でロック機構のロックが自動解除され、燃料液の残存していない燃料電池カートリッジの取り外しが可能となる。
【００２３】
ステップ３７で残量が検出された場合には、ステップ３６に戻り、残液の排出が継続される。ステップ３５において、ＮＯを選択した場合には、メニュー画面が終了する。
ステップ３３において、手動の取り外しを選択した場合には、表示装置１の表示画面に、手動での燃料電池カートリッジの取り外しの手順と、燃料電池カートリッジ内に残存する燃料液への注意事項が表示され、ユーザは、表示画面に表示された手順に従って、取り外し装置のロック解除レバーを操作するなどの一連の慎重な取り外し操作を実行する。
【００２４】
図４は、燃料電池カートリッジの取り外し方法のフローチャートにおいて、他の燃料電池カートリッジからの燃料液の供給を行う操作のフローチャートを示す。
図２に示された本発明の実施例１の表示装置１に搭載された燃料電池カートリッジ３の取り外し方法のフローチャートにおいて、ステップ２３において、カーソルキー（⇒）で、「燃料電池カートリッジ交換」タブを選択した後、ステップ４１において、下向きカーソルキー（↓）で、「他のカートリッジからの供給」を選択し、決定ボタンを押すと、リモコン操作装置１３又は表示装置本体の操作部１４は、他の燃料電池カートリッジからの燃料液の供給のための制御信号を表示装置１に送信する。
【００２５】
燃料電池カートリッジが、複数のカートリッジから構成され、現在使用中のカートリッジに他の燃料電池カートリッジから燃料液が供給できる場合、ステップ４２において、第２カートリッジの供給口を開き、ステップ４３において、第２カートリッジから、現在使用中のカートリッジに燃料液を供給する。
【実施例２】
【００２６】
図５は、ユーザが、直接、燃料電池カートリッジ３の取り外し装置を操作した場合に、燃料電池カートリッジ３の取り外しをロックし警告表示する燃料電池カートリッジのフローチャート（実施例２）である。
図２のフローチャートにおいては、燃料電池カートリッジ３の取り外しは、リモコン操作装置１３又は表示装置本体の操作部１４の操作により行われたが、図５のフローチャートでは、この操作を行うことなく、したがって、表示装置１の表示画面に警告表示がなされていない状態で、ユーザが、直接、燃料電池カートリッジ３の取り外し装置を操作した場合に、燃料電池カートリッジ３の取り外しをロックし警告表示するように構成されている。
【００２７】
図５において、ステップ５１において、ユーザが、燃料電池カートリッジ３を取り外そうとした際に、取り外し検出／ロック機構解除制御部５が、ユーザの直接、取り外そうとする操作を検出する。取り外そうとする操作は、燃料電池カートリッジ３へのユーザの指の接触の検出、取り外しレバーへの接触、あるいは、燃料電池カートリッジ３の収納部の扉の開閉などを検出して、燃料電池カートリッジ３が未だ取り外されていない状態でユーザの手動の取り外し操作を検出する。
【００２８】
ステップ５２において、燃料電池カートリッジ３内の燃料の残量を検出する。燃料の残量の検出は、燃料電池カートリッジ３内に設置された残量有無検知センサー６と残量有無検知回路７により行う。
ステップ５３において、燃料の残量が「有」の場合には、ステップ５４において取り外し機構をロックし、ステップ５５において、表示装置１の表示画面に警告を表示する。
また、ステップ５３において、燃料の残量が「無」の場合には、機構のロックや、警告の表示をすることなく、燃料電池カートリッジの取り出しを可能とする。
【００２９】
ステップ５５において、表示画面に警告表示がなされた後、Ａの状態（残量有、警告表示有）の状態であるので、図３のＡの状態に移行し、その後、操作部１３の操作により、カートリッジ取り外しを選択し、ロック解除メニューで自動／手動を選択して、燃料電池カートリッジ３を安全に取り外すことができる。
【００３０】
図６に、本発明の表示装置１に搭載された燃料電池カートリッジ３を取り外すリモコン操作装置１３の外観図を示す。なお、リモコン操作装置１３で行う燃料電池についての操作は、表示装置本体に設けられた操作部１４においても同様に行うことができる。
リモコン操作装置１３の外表面には、メニューボタン、カーソルボタン、決定ボタンのほか、燃料電池カートリッジ交換のための専用の燃料電池カートリッジ交換ボタンが設けられている。
なお、図６には、燃料電池カートリッジ交換ボタンを、リモコン操作装置１３の外表面に設ける例が示されているが、リモコンの「燃料電池カートリッジ交換ボタン」は、表示装置本体にあっても良いし、リモコン操作装置と表示装置本体の両方にあっても良い。
また、図７に、本発明の実施例１の表示装置１に搭載された燃料電池カートリッジ３を取り外すリモコン操作装置１３のメニュー項目の一覧図を示す。
【００３１】
燃料電池カートリッジ３の取り外しを開始する際には、表示装置１のリモコン操作装置１３のメニューボタンを操作して、表示装置１の表示画面にメニュー画面を表示し、カーソルキー（⇒）で、「燃料電池カートリッジ交換」タブを選択し、下向きカーソルキー（↓）で、「カートリッジ」取り外しを選択し、決定ボタンを押すと、リモコン操作装置１３は、燃料電池カートリッジ３の取り外しのための制御信号を表示装置１に送信する。
【００３２】
上述のように、リモコン操作装置１３又は表示装置本体の操作部１４に燃料電池カートリッジ交換用の専用ボタンを設けている場合には、メニューボタンとカーソルキーを用いて燃料電池カートリッジ交換の画面に入る操作に代えて、燃料電池カートリッジ交換用の専用ボタンを直接、押圧することにより、メニュー画面を介することなく、直接、燃料電池カートリッジ交換の画面に入ることができる。
【００３３】
また、リモコン操作部１３によりロック解除の操作を行うには、カートリッジの取り外しを選択し、ロック解除メニューを選択すると、自動／手動の選択画面で、自動または手動での取り外しを選択する。
自動を選択した場合には、残液を排出するかどうかの選択を行う。
ＹＥＳを選択した場合には、自動的に、残存している燃料液が、他のカートリッジまたは貯蔵容器に排出される。そして、その後、残量を検出して、残量が無いことが確認されれば、ロック機構のロックが自動解除され、燃料液の残存していない燃料電池カートリッジの取り外しが可能となる。
【００３４】
また、他のカートリッジからの燃料液を供給する場合には、カーソルキー（⇒）で、「燃料電池カートリッジ交換」タブを選択した後、下向きカーソルキー（↓）で、「他のカートリッジからの供給」を選択し、決定ボタンを押すと、リモコン操作装置１３は、他の燃料電池カートリッジからの燃料液の供給のための制御信号を表示装置１に送信する。
【００３５】
上記の場合においても、燃料電池カートリッジ交換の専用ボタンを設けている場合には、メニュー画面を表示してカーソルキー（⇒）で、「燃料電池カートリッジ交換」タブを選択する操作に代えて、燃料電池カートリッジ交換の専用ボタンにより、燃料電池カートリッジ交換の表示画面に入ることができる。
【図面の簡単な説明】
【００３６】
【図１】図１は、本発明の実施例１の燃料電池カートリッジを搭載した表示装置のブロック図である。
【図２】図２は、燃料電池カートリッジに燃料が残存する場合の、燃料電池カートリッジの取り外しをロックし警告表示する燃料電池カートリッジのフローチャート（実施例１）である。
【図３】図３は、ロックされ警告表示された燃料電池カートリッジのロックを解除し、自動又は手動で燃料電池カートリッジを取り出し可能とする燃料電池カートリッジの取り外し方法のフローチャートである。
【図４】図４は、燃料電池カートリッジの取り外し方法のフローチャートにおいて、他の燃料電池カートリッジからの燃料液の供給を行う操作のフローチャートである。
【図５】図５は、ユーザが、直接、燃料電池カートリッジの取り外し装置を操作した場合に、燃料電池カートリッジの取り外しをロックし警告表示する燃料電池カートリッジのフローチャート（実施例２）である。
【図６】図６は、本発明の実施例１の表示装置に搭載された燃料電池カートリッジを取り外すリモコン操作装置の外観図である。
【図７】図７は、本発明の実施例１の表示装置に搭載された燃料電池カートリッジを取り外すリモコン操作装置のメニュー項目の一覧図である。
【図８】図８は、従来例である電池パックのデジタルカメラからの取り外しを検知して警告を表示するデジタルカメラの概観図である。
【符号の説明】
【００３７】
１    表示装置
２    燃料電池
３    燃料カートリッジ
４    本体とのロック機構
５    取り外し検出／ロック機構制御
６    燃料の残量有無検知センサー
７    残量有無検知回路
８    画面表示処理回路
９    マイコン
１０    受信回路
１１    文字挿入回路
１２    警告文字発生回路／警告音発生回路
１３    リモコン操作装置
１４    表示装置本体の操作部
【図１】
2007073319.tif 000003
【図２】
2007073319.tif 000004
【図３】
2007073319.tif 000005
【図４】
2007073319.tif 000006
【図５】
2007073319.tif 000007
【図６】
2007073319.tif 000008
【図７】
2007073319.tif 000009
【図８】
2007073319.tif 000010